(57)【要約】      （修正有）【課題】メガネレンズが曇りにくく、外側布と内側布との間にフィルターを内蔵した三層構造で布生地製の洗える衛生的なマスクを提供する。【解決手段】耳掛け部１２が両側に設けられ外側の外側布と内側の内側布１４とを有する布生地製のマスク１１であって、外側布と内側布との間に微小粒子や花粉の侵入を防止するためのフィルター１５が挟持された状態で内蔵され、内側布の上部１４ａには、鼻部及び顔部にフィットしてメガネの曇りを防止するためのノーズカバー１６が折畳み及び折返し自在に設けられている。【選択図】図２
0003229908.tif 000002
【実用新案登録請求の範囲】
【請求項１】
耳掛け部が両側に設けられ外側の外側布と内側の内側布とを有する布生地製のマスクであって、
該マスクは、前記外側布と前記内側布との間に微小粒子や花粉の侵入を防止するためのフィルターが挟持された状態で内蔵されており、
前記内側布の上部には、鼻部及び顔部にフィットしてメガネの曇りを防止するためのノーズカバーが折畳み及び折返し自在に設けられていること
を特徴とするマスク。
【請求項２】
前記ノーズカバーには、微小粒子や花粉の侵入を防止するためのフィルターが内蔵されていること
を特徴とする請求項１に記載のマスク。
【請求項３】
前記フィルターは、微小粒子捕集効率が９５％以上であり、花粉粒子捕集効率が９９％以上であること
を特徴とする請求項１又は２のいずれかに記載のマスク。
【考案の詳細な説明】
【技術分野】
【０００１】
本考案は、外側の外側布と内側の内側布との間にフィルターを内蔵したマスクに関するものである。
【背景技術】
【０００２】
従来のマスクとしては、次のような構成のものが知られている。このマスクは、伸縮性を有する耳掛け部が両側に設けられ複数段にプリーツが形成された矩形状の第１不織布と、第１不織布の内側に四隅が熱溶着され複数段にプリーツが形成された矩形状の第２不織布とからなり、第２不織布は必要に応じて取り除くことができる仕組みである（特許文献１参照）。
【０００３】
このような構成のマスクは、１回使用した後に、湿り気や臭いを含んだ第２不織布を取り除いて、マスクをふたたび使用することが可能である。従って、１枚のマスクで２回使用できることとなる。
【先行技術文献】
【特許文献】
【０００４】
【特許文献１】実用新案登録第３２１５３９７号公報
【考案の概要】
【考案が解決しようとする課題】
【０００５】
この従来例のマスクにおいては、第２不織布を取り除いて、２回目の使用ができるとしても、その後に不織布製のマスクを何回も使用と不衛生である。また、マスクを洗って複数回使用した場合に、不織布の微小粒子や花粉等を捕集する効果が認められなくなるという問題点を有している。
【０００６】
また、メガネを掛けた状態でマスクを着用すると、顔との隙間から流れ出た息がレンズに付着して曇るという問題点を有している。
【０００７】
従って、従来例におけるマスクにおいては、手洗いが可能であり清潔な状態で何回も使用できることと、洗っても微小粒子や花粉等の捕集効果が認められることと、メガネを掛けた状態でレンズを曇りにくくすることとに解決しなければならない課題を有している。
【課題を解決するための手段】
【０００８】
前記従来例の課題を解決するための本考案の要旨は、耳掛け部が両側に設けられ外側の外側布と内側の内側布とを有する布生地製のマスクであって、該マスクは、前記外側布と前記内側布との間に微小粒子や花粉の侵入を防止するためのフィルターが挟持された状態で内蔵されており、前記内側布の上部には、鼻部及び顔部にフィットしてメガネの曇りを防止するためのノーズカバーが折畳み及び折返し自在に設けられていることである。
【０００９】
また、前記ノーズカバーには、微小粒子や花粉の侵入を防止するためのフィルターが内蔵されていること、；
前記フィルターは、微小粒子捕集効率が９５％以上であり、花粉粒子捕集効率が９９％以上であること、；
を含むものである。
【考案の効果】
【００１０】
本考案に係るマスクによれば、外側布と内側布との間に微小粒子や花粉の侵入を防止するためのフィルターが挟持された状態で内蔵されていることによって、ＰＭ２．５を含む微小粒子や花粉等を効率的に捕集できる。
また、布生地製で形成されるので、手洗いが可能で清潔な状態で継続して使用できると共に、洗っても微小粒子や花粉等の捕集効果が認められる。
更に、内側布の上部には、鼻部及び顔部にフィットしてメガネの曇りを防止するためのノーズカバーが折畳み及び折返し自在に設けられていることによって、メガネを掛けた状態でレンズが曇りにくいという種々の優れた効果を奏する。
【００１１】
ノーズカバーには、微小粒子や花粉の侵入を防止するためのフィルターが内蔵されていることによって、ノーズカバーにおいてもＰＭ２．５を含む微小粒子や花粉等を効率的に捕集するという優れた効果を奏する。
【図面の簡単な説明】
【００１２】
【図１】本考案に係るマスクの正面からの斜視図である。
【図２】本考案に係るマスクの背面からの斜視図である。
【図３】本考案に係るマスクの使用状態を示す正面図である。
【考案を実施するための形態】
【００１３】
次に、本考案の実施の形態について図面を参照しながら説明する。まず、図１及び図２において、符号１１はマスクを示し、このマスク１１は、耳掛け部１２が両側に設けられて、外側の外側布１３と内側の内側布１４とを有する布生地製のマスクであって、外側布１３と内側布１４との間に内蔵されるフィルター１５と、内側布１４の上部に設けられるノーズカバー１６とを備える。
【００１４】
フィルター１５は、ＰＭ２．５を含む微小粒子や花粉等を捕集できる効果を有するものであり、外側布１３と内側布１４との間に挟持された状態で内蔵される。
従って、マスク１１は、外側布１３と、内側布１４と、それらの間に内蔵されたフィルター１５との三層構造に形成される。
また、フィルター１５は、微小粒子捕集（ろ過）効率（ＰＦＥ）が９５％以上であり、花粉粒子捕集（ろ過）効率が９９％以上である。
微小粒子捕集効率（ＰＦＥ）が９５％は、約０．１μｍの微小粒子を９５％捕集（ろ過）するということであり、花粉粒子捕集効率が９９％は、約３０μｍの微小粒子を９９％捕集（ろ過）するということである。
従って、微小粒子や花粉の侵入を防止することに有効である。
【００１５】
ノーズカバー１６は、内側布１４の上部１４ａに沿って折畳み及び折返し自在に設けられる。つまり、マスク１１を使用しないときには、図２に示すように、ノーズカバー１６は折り畳まれた状態であり、また、マスク１１を使用するときには、図３に示すように、ノーズカバー１６を折り返して、鼻部１７及び顔部１８にフィットさせる。
そして、図３に示すように、ノーズカバー１６が鼻部１７及び顔部１８にフィットして隙間が生じないので、従来例のように隙間から流れ出た息がレンズに付着せず、メガネが曇りにくい。
【００１６】
また、ノーズカバー１６には、図２に示すように、微小粒子や花粉の侵入を防止するためのフィルター１５ａが内蔵されている。従って、ノーズカバー１６においてもＰＭ２．５を含む微小粒子や花粉等を効率的に捕集することができる。
【００１７】
以上のように構成されるマスク１１は、外側布１３と内側布１４との間に、微小粒子や花粉の侵入を防止するためのフィルター１５が挟持された状態で内蔵されていることによって、ＰＭ２．５を含む微小粒子や花粉等を効率的に捕集できる。
また、布生地製で形成されるので、手洗いが可能で清潔な状態で継続して使用できると共に、洗っても微小粒子や花粉等の捕集効果が認められる。
そして、内側布１４の上部１４ａに沿って、鼻部１７及び顔部１８にフィットしてメガネの曇りを防止するためのノーズカバー１６が折畳み及び折返し自在に設けられていることによって、メガネを掛けた状態でレンズが曇りにくい。
【符号の説明】
【００１８】
１１  マスク
１２  耳掛け部
１３  外側布
１４  内側布
１４ａ  上部
１５、１５ａ  フィルター
１６  ノーズカバー
１７  鼻部
１８  顔部
【図１】
0003229908.tif 000003
【図２】
0003229908.tif 000004
【図３】
0003229908.tif 000005